(57)【要約】      （修正有）【課題】ＬＥＤランプを使用すると共に香油皿を洗浄できる芳香ランプを提供する。【解決手段】ＬＥＤランプ３を取付けた台座１の上に支柱２を立て、支柱２の上端部の電熱ヒータ４と前記ＬＥＤランプ３とを台座の底部に備える入力端子に電気的に接続して光熱体を形成し、この光熱体を、上面に香油皿を有するランプシェード８の内部に挿入して、その電熱ヒータ４を香油皿９の下方にのぞませる。さらにランプシェード８の底部に着脱自在に取付けた電源部７に前記入力端子を連結して光熱体をランプシェード１１に取り付ける。上記の入力端子を電球の口金状に形成し、電源部７を電源ソケット状に形成して、入力端子と電源部７にねじ込んで接続するとよい。また、支柱２を上部ほど外径の太いラッパ状にし、その外周面を鏡面に形成するとよい。【選択図】図３
0003146211.tif 000002
【実用新案登録請求の範囲】
【請求項１】
ＬＥＤランプを取付けた台座の上に支柱を立て、支柱の上端部に設けた電熱ヒータと前記ＬＥＤランプとを、台座の底部に備える入力端子に電気的に接続して光熱体を形成し、
この光熱体を、上面に香油皿を有するランプシェードの内部に挿入して、その電熱ヒータを香油皿の下方に近接させ、
さらにランプシェードの底部に着脱自在に取付けた電源部に前記入力端子を連結して、光熱体をランプシェードに取り付けて成る芳香ランプ。
【請求項２】
前記入力端子を電球の口金状に形成すると共に、前記電源部を電源ソケット状に形成して、入力端子を電源部にねじ込んで接続することを特徴とする請求項１に記載の芳香ランプ。
【請求項３】
前記支柱の形状を上部ほど外径の太いラッパ状にして、支柱の上部を前記ＬＥＤランプの上方に張り出して形成すると共に、その外周面を鏡面に形成し、
前記電熱ヒータと入力端子を、支柱内部を経て電気的に接続することを特徴とする請求項１又は２に記載の芳香ランプ。
【請求項４】
複数個のＬＥＤランプを前記台座の上面に取付け、これらのＬＥＤランプが前記支柱を中心とする同一円周上に等間隔で並ぶように配置することを特徴とする請求項１又は３に記載の芳香ランプ。
【請求項５】
ランプシェードの内側に係合部材を設け、この係合部材に、前記電源部を着脱自在に連結することを特徴とする請求項１乃至３のいずれか1項に記載の芳香ランプ。
【考案の詳細な説明】
【技術分野】
【０００１】
本考案は、揮発性を有する香油を加熱して揮発させると共に、光源により周囲を照らす芳香ランプの改良に関する。
【背景技術】
【０００２】
揮発性を有する香油を、ランプシェード内部の白熱電球（光熱体）の上部に配置した香油皿に入れ、白熱電球の熱により揮発させる芳香ランプがある（特許文献１）。
香りを楽しむ機能と同時に、照明器具としての機能を有する。
【０００３】
白熱電球は、照明用の光源としての機能と、香油を加熱し揮発させる機能の両方を併せ持つが、電力の消費が大きく、また頻繁に交換する必要がある。
これをＬＥＤランプに代え、また香油皿の下に加熱源を固定することにより、省電力になり、また照明用の光源が切れにくく、交換する必要がほとんどなる（特許文献２）。
しかし、ランプシェードをＬＥＤランプ及び加熱源が取り外せず、香油皿が汚れた場合、これを洗浄し難い。
【特許文献１】実用新案登録第３０８６６７０号公報
【特許文献２】特許第３９０６７３４号公報
【考案の開示】
【考案が解決しようとする課題】
【０００４】
そこで本考案は、ＬＥＤランプを使用すると共に香油皿を洗浄できる芳香ランプを提供することを目的にする。
【課題を解決するための手段】
【０００５】
そのために請求項１の考案は、ＬＥＤランプを取付けた台座の上に支柱を立て、支柱の上端部に設けた電熱ヒータと前記ＬＥＤランプとを、台座の底部に備える入力端子に電気的に接続して光熱体を形成し、
この光熱体を、上面に香油皿を有するランプシェードの内部に挿入して、その電熱ヒータを香油皿の下方に近接させ、
さらにランプシェードの底部に着脱自在に取付けた電源部に前記入力端子を連結して、光熱体をランプシェードに取り付けて成る。
請求項２の考案は、請求項１の考案において、入力端子を電球の口金状に形成すると共に、電源部を電源ソケット状に形成して、入力端子を電源部にねじ込んで接続する。
請求項３の考案は、請求項１又は２の考案において、支柱の形状を上部ほど外径の太いラッパ状にして、支柱の上部をＬＥＤランプの上方に張り出して形成すると共に、その外周面を鏡面に形成し、電熱ヒータと入力端子を、支柱内部を経て電気的に接続することを特徴とする。
請求項４の考案は、請求項１又は３の考案において、複数個のＬＥＤランプを台座の上面に取付け、これらのＬＥＤランプが支柱を中心とする同一円周上に等間隔で並ぶように配置することを特徴とする。
請求項５の考案は、請求項１乃至３の考案において、ランプシェードの内側に係合部材を設け、この係合部材に、電源部を着脱自在に連結することを特徴とする。
【考案の効果】
【０００６】
請求項１の考案によれば、ランプシェードを光熱体から取り外し、光熱体を濡らすことなく、ランプシェードと一体の香油皿を洗浄できる。また、光熱体を替えることなく、ランプシェードを好みに応じ別のものに交換できる。
請求項２によれば、光熱体を従来の白熱電球の代わりとして、そのまま電球用のソケット（電源部）に取り付けるだけで使用できる。
請求項３の考案によれば、ＬＥＤランプの光を、ランプシェードに向け効率よく放射できる。よって、ＬＥＤランプの数を減らすことができ、省電力である（ＬＥＤランプ＋電熱ヒータの電力は、白熱電球の場合の約１／３である）。また、電熱ヒータと入力端子との電気的な接続がランプシェードに影となって映ることがない。
請求項４の考案によれば、ランプシェードに斑なくきれいに光が照射される。
請求項５の考案によれば、ランプシェードの着脱が容易である。
【考案を実施するための最良の形態】
【０００７】
本考案の実施形態を図面に示す。
図１は光熱体の断面図であり、図２は光熱体の平面図である。
１は円板状の台座であり、上面の中心部に、上部ほど外径の太いラッパ状の支柱２を設ける。この支柱２の外周面を鏡面に形成する。また、この台座１の上面に複数個のＬＥＤランプ３を、支柱２を中心とする同一円周上に等間隔で並ぶように配置する。またね支柱２の上部は、ＬＥＤランプ３の上方に張り出している。
４は、支柱２の上面開口部に固設した電熱ヒータである。
５は台座１の下面に連結した入力端子であり、電球の口金状に形成する。
光熱体６は、以上の台座１、支柱２、ＬＥＤランプ３、電熱ヒータ４、入力端子５からなる。
【０００８】
７は電源ソケット状に形成した電源部であり、上記入力端子５をこの電源部７にねじ込んで接続すると共に、電源部７を介して光熱体６を電源（図示せず）に接続する。
図３において、８は底面が開放し、上面が閉塞した筒状のランプシェードであり、上面に内側に向け凹ませた香油皿９を有し、側面に複数の開口１０を設ける。材質はガラス、陶器などであるが、耐久性、熱伝導の点から陶器がよい。
１１はランプシェードの内側に取り付けた係合部材であり、電源部７と係合する係合孔（図示せず）を有し、光熱体６をねじ込んで接続した電源部７を、この係合孔に挿入して着脱自在に取り付ける。
【０００９】
このようにしてなる芳香ランプ１２は、香油皿９に香油を入れ、ＬＥＤランプ３を点灯し、電熱ヒータ４に給電すると、電熱ヒータ４からの熱により香油が気化し、芳香を放つ。
ＬＥＤランプ３の光は、そのままランプシェード８へ向かったり、支柱２の外周面で反射される等して、大部分の光がランプシェード８へと向かう。そして、その光の一部が開口１０より漏れ出る。
【００１０】
上記実施の形態では、電球の口金状に形成した入力端子５及び電源ソケット状に形成した電源部７を介して光熱体６を電源と接続しているが、これに限るものではなく、コード及びプラグを介して電源と接続してもよい。
ただし、電球の口金状の入力端子５を介して電源と接続するものにすると、光熱体６を従前の芳香ランプの電球用のソケットに取り付けて使用できるという利点がある。
また、本考案はＬＥＤランプ３の台座上の配置にはこだわらないが、上記の実施の形態ようにＬＥＤランプを支柱２を中心とする同一円周上に等間隔で並ぶように配置するとよい。
【図面の簡単な説明】
【００１１】
【図１】本考案の光熱体の断面図である。
【図２】光熱体の平面図である。
【図３】芳香ランプの側面図である。
【符号の説明】
【００１２】
１    台座
２    支柱
３    ＬＥＤランプ
４    電熱ヒータ
５    入力端子
６    光熱体
７    電源部
１２    芳香ランプ
【図１】
0003146211.tif 000003
【図２】
0003146211.tif 000004
【図３】
0003146211.tif 000005